(57)【要約】【課題】  従来の印刷装置においては、実際のスイッチ位置とその用途が異なる場合、他の制御が全く同一であっても、印刷装置の制御を別々に管理する必要があり、管理が煩雑になるという問題があった。【解決手段】  印刷を制御する印刷制御部と、電源断状態においてもデータを保持する不揮発性メモリと、オペレータのスイッチ動作を受け付ける操作パネルと、スイッチの定義を実際の操作パネルの名称に合わせるスイッチ情報設定手段と、設定したスイッチ情報を不揮発性メモリに記憶するスイッチ情報記憶手段と、不揮発性メモリに記憶したスイッチ情報を読み出すスイッチ情報読み出し手段とを設けた。【選択図】図１
2005225120.tif 000002
【特許請求の範囲】
【請求項１】
印刷を制御する印刷制御部と、電源断状態においてもデータを保持する不揮発性メモリと、オペレータのスイッチ動作を受け付ける操作パネルと、スイッチの定義を実際の操作パネルの名称に合わせるスイッチ情報設定手段と、設定したスイッチ情報を不揮発性メモリに記憶するスイッチ情報記憶手段と、不揮発性メモリに記憶したスイッチ情報を読み出すスイッチ情報読み出し手段とを有することを特徴とする印刷装置。
【請求項２】
全てのスイッチの定義を、スイッチ情報設定手段により実際の操作パネルの名称に合わせて選択・設定し、スイッチ情報記憶手段によりその設定内容を保持し、スイッチ情報読み出し手段により保持したスイッチ情報を読み出すことを特徴とする請求項１記載の印刷装置。
【発明の詳細な説明】
【技術分野】
【０００１】
本発明は、スイッチを具備した印刷装置に関するものである。
【背景技術】
【０００２】
従来のスイッチを具備した印刷装置は、スイッチの名称と定義を固定化している。スイッチの名称と定義とが異なる場合には、その制御手段も別管理としている。
【０００３】
また、ある特定のスイッチの定義付けを可変にして、操作性を向上させている場合もある（例えば、特許文献１参照。）。
【０００４】
図２、３により、操作パネルを説明する。
【０００５】
図２における２１〜３０、及び図３における２１〜２９は、それぞれ操作パネル上のスイッチを意味し、４０は表示装置を意味する。図２の「印刷開始」スイッチ２９及び「印刷中断」スイッチ３０は、それぞれ印刷を開始するスイッチ、印刷を停止するスイッチである。図３ではこれら２つのスイッチを「印刷」スイッチ２９の１個で代用している。図２の場合、印刷を開始している状態で「印刷スイッチ」２９を押下すると、印刷停止状態へ移行し、印刷を停止している状態で「印刷スイッチ」２９を押下すると印刷を開始している状態へ移行する。表示装置４０は操作中の状態を常時表示している。
【０００６】
【特許文献１】特開平１０−２０２９８２号公報
【発明の開示】
【発明が解決しようとする課題】
【０００７】
上記したように、実際のスイッチ位置とその用途が異なる場合、他の制御が全く同一であっても、印刷装置の制御を別々に管理する必要があり、管理が煩雑になるという問題があった。
【課題を解決するための手段】
【０００８】
本発明は、印刷を制御する印刷制御部と、電源断状態においてもデータを保持する不揮発性メモリと、オペレータのスイッチ動作を受け付ける操作パネルと、スイッチの定義を実際の操作パネルの名称に合わせるスイッチ情報設定手段と、設定したスイッチ情報を不揮発性メモリに記憶するスイッチ情報記憶手段と、不揮発性メモリに記憶したスイッチ情報を読み出すスイッチ情報読み出し手段とを設けたことを特徴とする。
【０００９】
また、前記スイッチ情報設定は、スイッチの定義を実際の操作パネルの名称に合わせて選択・定義し、定義したスイッチ情報をスイッチ情報記憶手段へ記憶し、次回以降は前回記憶したスイッチ情報を読み出すことにより実施されるようにしてもよい。
【発明の効果】
【００１０】
本発明によれば、スイッチ情報の設定のみが異なる複数の制御を一元化することができ、管理の簡略化が可能である。
【発明を実施するための最良の形態】
【００１１】
以下実施例図面を参照して本発明を詳述する。
【００１２】
図１に本発明の一実施例のブロック図、図４にスイッチ情報設定手段の例、図５にスイッチ名称・機能とスイッチ番号との組み合わせの例を示す。
【００１３】
図１において、１は印刷を制御する印刷制御部、２は不揮発性メモリ、３はスイッチ情報を選択・設定するスイッチ情報設定手段、４はスイッチ情報設定手段３で設定された情報を記憶するスイッチ情報記憶手段、５はスイッチ情報記憶手段４で記憶された情報を読み出すスイッチ情報読み出し手段、６は操作パネルである。
【００１４】
操作員は操作パネル６、スイッチ情報設定手段３によりスイッチの機能に応じだ実際のスイッチを定義づける。その後スイッチ情報記憶手段４により不揮発性メモリ２に記憶する。
【００１５】
一旦設定後は、電源投入時においてスイッチ情報読み出し手段５によって、最新の設定情報を読み出し、その情報に基づいて制御を行う。
【００１６】
図４はスイッチ情報設定手段３におけるヒューマンインタフェースの例である。図４において、表示欄６１は図２の表示装置４０上の表示例であり、内容６２における操作方法中のスイッチは図２のスイッチ２１〜３０のそれぞれを示す。この手段を使用してスイッチ情報の定義・設定を行う場合には、「前進」スイッチ２５または「後退」スイッチ２６を使用して選択し、その後「改頁」スイッチ２７を使用して定義する。例えばこのヒューマンインタフェースにおいて、印刷開始機能のスイッチをスイッチ番号２９を選択・定義する場合には、表示装置４０に「インサツカイシ２９」と表示されるまで「前進」スイッチ２５または「後退」スイッチ２６を押下し、表示後「改頁」スイッチ２７を押下することにより、印刷開始機能を持つスイッチをスイッチ２９として選択・定義し、不揮発性メモリ２に記憶する。同様に印刷中断機能を持つスイッチはスイッチ３０として選択・定義し、不揮発性メモリ２に記憶する。
【００１７】
図５はスイッチ名称・機能とスイッチ番号との対応の例である。図４の様な操作を行うことにより、全てのスイッチ名称・機能とスイッチ番号を対応付けることができる。また、スイッチ番号３０がなく、スイッチ番号２９で印刷開始・印刷中断の両方の機能を兼用させる場合には、印刷中断の名称のスイッチをスイッチ番号２９で設定することにより、容易に定義することができる。
【００１８】
図４、図５の様に操作することにより、全てのスイッチ機能を定義することができ、スイッチ数が異なる場合においても、スイッチ設定・定義を変更することにより容易に対応可能である。
【産業上の利用可能性】
【００１９】
スイッチ情報設定手段、スイッチ情報記憶手段、スイッチ情報読み出し手段を付加することにより、スイッチ数に応じた拡張性の高い用途に応用することができる。
【図面の簡単な説明】
【００２０】
【図１】本発明の一実施例のブロック図である。
【図２】本発明における操作パネルの一例を示す図である。
【図３】本発明における操作パネルの一例を示す図である。
【図４】本発明におけるスイッチ情報設定手段を示す図である。
【図５】本発明におけるスイッチ名称とスイッチ番号の対応表を示す図である。
【符号の説明】
【００２１】
１    印刷制御部
２    不揮発性メモリ
３    スイッチ情報設定手段
４    スイッチ情報記憶手段
５    スイッチ情報読み出し手段
６    操作パネル
２１  印刷モードスイッチ
２２  リセットスイッチ
２３  モードスイッチ
２４  テストスイッチ
２５  前進スイッチ
２６  後退スイッチ
２７  改頁スイッチ
２８  改行スイッチ
２９  印刷開始または印刷スイッチ
３０  印刷中断スイッチ
６１  表示
６２  内容
【図１】
2005225120.tif 000003
【図２】
2005225120.tif 000004
【図３】
2005225120.tif 000005
【図４】
2005225120.tif 000006
【図５】
2005225120.tif 000007